(57)【要約】【課題】パネル端子部に電子部品の駆動波形観察用のモニタ端子が形成されているアクティブマトリクス型の液晶表示パネルにおいて、そのモニタ端子からパネル基板内に静電気が入り込まないようにする。【解決手段】アクティブマトリクス型の液晶表示パネル１０Ａのパネル端子部１１に、表示駆動用の電子部品２０が実装され、パネル端子部１１に形成されている電子部品２０の出力側配線１４からその表示駆動波形を観察するための波形観察用配線１５が引き出されている画像表示装置において、波形観察用配線１５とそのモニタ端子１６とを切り離して形成し、それらの間に制御端子１７にてオンオフ制御されるスイッチング素子４０を設け、電子部品２０の表示駆動波形観察時にのみ、スイッチング素子４０をオンとして波形観察用配線１５とモニタ端子１６とを導通させ、それ以外のときにはスイッチング素子４０をオフにして波形観察用配線１５とモニタ端子１６とを非導通とする。【選択図】図１
2007148191.tif 000002
【特許請求の範囲】
【請求項１】
パネル内に画素電極を駆動するスイッチング素子を含むアクティブマトリクス型の液晶表示パネルを備え、上記液晶表示パネルのパネル端子部に表示駆動用の電子部品が実装されているとともに、上記パネル端子部に形成されている上記電子部品の出力側配線からその表示駆動波形を観察するための波形観察用配線が引き出されている画像表示装置において、
上記パネル端子部に、上記波形観察用配線と切り離して形成されたモニタ端子と、上記波形観察用配線と上記モニタ端子との間に形成されたスイッチング素子と、上記スイッチング素子をオンオフ制御する制御端子とを備えていることを特徴とする画像表示装置。
【請求項２】
上記スイッチング素子が、上記パネル内に形成されている上記画素電極駆動用のスイッチング素子と同じ型式であることを特徴とする請求項１に記載の画像表示装置。
【請求項３】
パネル内に画素電極を駆動するスイッチング素子を含むアクティブマトリクス型の液晶表示パネルを備え、上記液晶表示パネルのパネル端子部に表示駆動用の電子部品が実装されているとともに、上記パネル端子部に形成されている上記電子部品の出力側配線からその表示駆動波形を観察するための波形観察用配線が引き出されている画像表示装置の表示駆動波形の観察方法において、
上記パネル端子部に、上記波形観察用配線と切り離して形成されたモニタ端子と、上記波形観察用配線と上記モニタ端子との間に形成されたスイッチング素子と、上記スイッチング素子をオンオフ制御する制御端子とを備え、
波形観察時にのみ、上記制御端子に所定の信号を印加して上記スイッチング素子をオンにして上記波形観察用配線と上記モニタ端子とを導通させ、上記モニタ端子より上記電子部品から出力されている表示駆動波形を取り出すことを特徴とする画像表示装置の表示駆動波形の観察方法。
【発明の詳細な説明】
【技術分野】
【０００１】
本発明は、画像表示装置およびその表示駆動波形の観察方法に関し、さらに詳しく言えば、パネル内に画素電極を駆動するスイッチング素子を含むアクティブマトリクス型の液晶表示パネルにおいて、パネル端子部に実装されている表示駆動用の電子部品から出力される表示駆動波形を観察する技術に関するものである。
【背景技術】
【０００２】
アクティブマトリクス型の液晶表示パネルは、アレイ基板と対向基板とを備え、アレイ基板には、それぞれ複数本のゲート線とソース線とが絶縁層を介して互いに直交するように配線され、その各交差部には画素電極を駆動する例えばＴＦＴ（薄膜トランジスタ）からなるスイッチング素子が形成される。対向基板側には、アレイ基板側の各画素電極と対向する共通電極が形成される。アレイ基板と対向基板は、周辺シール材を介して貼り合わされ、それらの基板間に所定の液晶物質が封入される。
【０００３】
通常、この種の液晶表示パネルのパネル端子部には、液晶駆動用の電子部品として例えばゲートドライバとソースドライバとが実装されるが、部品実装後の基板を電気的に検査するため、例えば特許文献１に記載の発明では、パネル基板に各ゲート線に対して共通に接続されるゲート側モニタ端子と、各ソース線に対して共通に接続されるソース側モニタ端子とを含む検査回路を形成するようにしている。
【０００４】
上記特許文献１では、ゲート側モニタ端子およびソース側モニタ端子は、最終的に製品基板から切り離されるいわゆる捨て基板に形成されるが、完成品に表示の動作不良などがある場合、その解析を容易とするため、パネル端子部に上記モニタ端子が設けられる場合もある。その一例を図４に示す。図４（ａ）は液晶表示パネルの全体を模式的に示す平面図，図４（ｂ）はそのパネル端子部の一部を拡大して示す拡大図である。
【０００５】
図４（ａ）に示す液晶表示パネル１０はアクティブマトリクス型で、そのパネル端子部１１には、表示駆動用の電子部品２０が実装される。多くの場合、電子部品２０には、ＬＳＩのベアチップが用いられる。また、パネル端子部１１には、電子部品２０に所定の制御信号を与えるフレキシブル基板３０が接続される。
【０００６】
図４（ｂ）は上記電子部品２０を実装する前のパネル端子部１１の拡大図で、パネル端子部１１に設けられている電子部品実装領域１２には、電子部品２０の図示しない信号出力側のバンプがハンダ付けされる多数の信号出力側電極パッド１３が形成されている。
【０００７】
なお、電子部品実装領域１２には、フレキシブル基板３０と接続され、電子部品２０の図示しない信号入力側のバンプが接続される多数の信号入力側電極パッドも形成されるが、その信号入力側電極パッドは図示を省略している。また、各信号出力側電極パッド１３からパネル内のゲート線，ソース線および共通電極に至る出力側配線１４が引き出されるが、図４（ｂ）には、作図の都合上そのうちの１本のみを示す。
【０００８】
アクティブマトリクス型では、ゲート線およびソース線などが絶縁層により覆われているため、液晶表示パネル１０に表示の動作不良などが発生した場合、その原因を解析する際、例えばプローブなどの検査治具で配線箇所などを直接当たることが難しい。
【０００９】
そこで、この従来例では、液晶表示パネル１０に表示の動作不良などが生じた場合、その原因が電子部品２０にあるのかどうかを検査するため、実装状態で電子部品２０の表示駆動波形を観察するようにしている。そのため、パネル端子部１１に、上記信号出力側電極パッド１３の出力側配線１４から分岐して波形観察用配線１５を引き出し、その端部にモニタ端子１６を形成するようにしている。
【００１０】
なお、図４（ｂ）には、波形観察用配線１５が１本しか示されていないが、上記電子部品２０の正常，異常を判断するには、電子部品２０のゲート信号出力線，ソース信号出力線および共通電極に対するＶＣＯＭ信号出力線のそれぞれから少なくとも１本の波形観察用配線１５を引き出せばよく、したがって実際には３本の波形観察用配線１５が設けられ、その各々にモニタ端子１６が形成される。
【００１１】
図示しないが、フレキシブル基板３０には、電子部品２０に対する制御信号入力線のほかに、モニタ端子１６に対する接続端子が形成されており、その接続端子の所定部位には検査治具である例えばプローブを当てるためのランドが形成されている。なお、このランドから波形観察用配線１５および出力側配線１４を介して液晶表示パネル１０内に静電気が入り込まないようにするため、通常、ランドには絶縁皮膜が付けられている。
【００１２】
【特許文献１】特開２００３−５０５５１号公報
【発明の開示】
【発明が解決しようとする課題】
【００１３】
上記従来例によれば、液晶表示パネル１０に表示の動作不良などが生じた場合には、上記絶縁皮膜を剥がして上記ランドにプローブを当てることにより、電子部品２０の表示駆動波形を測定器などにて観察することができる。その結果、表示駆動波形に異常があれば、電子部品２０を交換することで対処でき、表示駆動波形が正常であれば、不良原因はパネル基板内にあると判定される。
【００１４】
しかしながら、フレキシブル基板３０を接続する前の状態では、モニタ端子１６が露出しているため、例えばパネル製造工程で発生する静電気がモニタ端子１６から波形観察用配線１５および出力側配線１４を介して液晶表示パネル１０内に入り込み、配線間などでの放電により、配線が断線したり素子が破壊されることがある。また、配線に少しでも放電痕が付けられると、経時的にその放電痕が成長し、ついには断線に至ることもある。
【００１５】
したがって、本発明の課題は、パネル端子部に電子部品の駆動波形観察用のモニタ端子が形成されているアクティブマトリクス型の液晶表示パネルにおいて、そのモニタ端子からパネル基板内に静電気が入り込まないようにすることにある。
【課題を解決するための手段】
【００１６】
上記課題を解決するため、請求項１に記載の発明は、パネル内に画素電極を駆動するスイッチング素子を含むアクティブマトリクス型の液晶表示パネルを備え、上記液晶表示パネルのパネル端子部に表示駆動用の電子部品が実装されているとともに、上記パネル端子部に形成されている上記電子部品の出力側配線からその表示駆動波形を観察するための波形観察用配線が引き出されている画像表示装置において、上記パネル端子部に、上記波形観察用配線と切り離して形成されたモニタ端子と、上記波形観察用配線と上記モニタ端子との間に形成されたスイッチング素子と、上記スイッチング素子をオンオフ制御する制御端子とを備えていることを特徴としている。
【００１７】
請求項２に記載の発明は、上記請求項１において、上記スイッチング素子が、上記パネル内に形成されている上記画素電極駆動用のスイッチング素子と同じ型式であることを特徴としている。
【００１８】
請求項３に記載の発明は、パネル内に画素電極を駆動するスイッチング素子を含むアクティブマトリクス型の液晶表示パネルを備え、上記液晶表示パネルのパネル端子部に表示駆動用の電子部品が実装されているとともに、上記パネル端子部に形成されている上記電子部品の出力側配線からその表示駆動波形を観察するための波形観察用配線が引き出されている画像表示装置の表示駆動波形の観察方法において、上記パネル端子部に、上記波形観察用配線と切り離して形成されたモニタ端子と、上記波形観察用配線と上記モニタ端子との間に形成されたスイッチング素子と、上記スイッチング素子をオンオフ制御する制御端子とを備え、波形観察時にのみ、上記制御端子に所定の信号を印加して上記スイッチング素子をオンにして上記波形観察用配線と上記モニタ端子とを導通させ、上記モニタ端子より上記電子部品から出力されている表示駆動波形を取り出すことを特徴としている。
【発明の効果】
【００１９】
請求項１に記載の発明によれば、パネル内に画素電極を駆動するスイッチング素子を含むアクティブマトリクス型の液晶表示パネルを備え、液晶表示パネルのパネル端子部に表示駆動用の電子部品が実装されているとともに、パネル端子部に形成されている電子部品の出力側配線からその表示駆動波形を観察するための波形観察用配線が引き出されている画像表示装置において、パネル端子部に、波形観察用配線と切り離して形成されたモニタ端子と、波形観察用配線とモニタ端子との間に形成されたスイッチング素子と、スイッチング素子をオンオフ制御する制御端子とを備える構成としたことにより、通常は波形観察用配線とモニタ端子とがスイッチング素子により非導通とされるため、モニタ端子からパネル内に静電気が入り込まない。これに対して、電子部品の表示駆動波形を観察する場合には、請求項３に記載の発明のように、制御端子に所定の信号を印加してスイッチング素子をオンにして波形観察用配線とモニタ端子とを導通させればよい。
【００２０】
また、請求項２に記載の発明によれば、パネル端子部のスイッチング素子をパネル内に形成されている画素電極駆動用のスイッチング素子と同じ型式とすることにより、製造工程の追加や変更なしに、画素電極駆動用のスイッチング素子とともに、パネル端子部のスイッチング素子を形成することができる。
【発明を実施するための最良の形態】
【００２１】
次に、図１ないし図３により、本発明の実施形態について説明するが、本発明はこれに限定されるものではない。図１は本発明の画像表示装置に含まれる液晶表示パネルのパネル端子部とその接続部品の各一部分を分離して示す模式的な平面図，図２はパネル端子部に設けられるモニタ端子と制御端子とを含む拡大図，図３は図２のＡ−Ａ線断面図である。なお、先の図４で説明した従来例と変更を要しない構成要素には同じ参照符号を用いる。
【００２２】
本発明の画像表示装置は、図１に示す液晶表示パネル１０Ａを備える。この液晶表示パネル１０Ａは、周辺シール材を介して貼り合わされるアレイ基板と対向基板（ともに図示しない）とを有するアクティブマトリクス型で、基本的な構成として、アレイ基板には、それぞれ複数本のゲート線とソース線とが絶縁層を介して互いに直交するように配線され、その各交差部には画素電極を駆動する例えばＴＦＴ（薄膜トランジスタ）からなるスイッチング素子が形成されており、対向基板には、アレイ基板側の各画素電極と対向する共通電極が設けられ、これらの基板間には、所定の液晶物質が封入されている。
【００２３】
液晶表示パネル１０Ａのパネル端子部１１には、上記従来例と同じく、例えばＬＳＩのベアチップからなる表示駆動用の電子部品２０が実装される。その電子部品実装領域１２には、電子部品２０の図示しない信号出力側のバンプが接続される多数の信号出力側電極パッド１３が形成されている。また、パネル端子部１１には、電子部品２０に所定の制御信号を与えるフレキシブル基板３０が接続される。
【００２４】
なお、電子部品実装領域１２には、図示しない入力側配線を介してフレキシブル基板３０と接続され、電子部品２０の図示しない信号入力側のバンプが接続される多数の信号入力側電極パッドも形成されるが、これについては図示を省略している。また、各信号出力側電極パッド１３からパネル内のゲート線，ソース線および共通電極に至る出力側配線１４が引き出されるが、図１には作図の都合上そのうちの１本のみを示す。
【００２５】
本発明においても、実装状態で電子部品２０の表示駆動波形を観察できるようにするため、信号出力側電極パッド１３の出力側配線１４から分岐して波形観察用配線１５を引き出すようにしているが、本発明では、波形観察用配線１５とモニタ端子１６とを分離して形成し、その間にスイッチング素子４０を設ける。また、パネル端子部１１に、モニタ端子１６とは別にスイッチング素子４０をオンオフ制御するための制御端子１７を備える。
【００２６】
スイッチング素子４０は、ＰＮＰやＮＰＮ型トランジスタもしくはＦＥＴ（電界効果トランジスタ）などであってもよいが、製造工程上、パネル内に設けられる画素電極駆動用のスイッチング素子と同一の構成であることが好ましい。すなわち、上記画素電極駆動用のスイッチング素子がＴＦＴ（薄膜トランジスタ）であるとすると、スイッチング素子４０にもＴＦＴが用いられる。
【００２７】
図２および図３を参照して、スイッチング素子４０がＴＦＴの場合、まず、例えばガラス材からなるパネル端子部１１上に、制御端子１７およびそのリード配線１７ａを形成する。この例では、リード配線１７ａの先端側をＬ字状に折り曲げてスイッチング素子４０の下に潜り込むように配置している。
【００２８】
次に、制御端子１７およびそのリード配線１７ａ上に例えばＳｉＯｘからなる絶縁膜４３ａを形成したのち、絶縁膜４３ａ上にアモルファスシリコン（ａ−Ｓｉ）４１を形成する。そして、モニタ端子１６およびそのリード配線１６ａと、波形観察用配線１５とを形成する。
【００２９】
この場合、リード配線１６ａと波形観察用配線１５とがアモルファスシリコン（ａ−Ｓｉ）４１上で所定の間隔をもって互いに平行となるように配線し、その各端部を接合用のｎ型アモルファスシリコン（ｎ＋ａ−Ｓｉ）４２，４２を介してアモルファスシリコン（ａ−Ｓｉ）４１と接続する。
【００３０】
次に、アモルファスシリコンを保護するため、全体を例えばＳｉＮｘからなる絶縁膜４３ｂにて覆ったのち、絶縁膜４３ａ，４３ｂを含む絶縁層４３を部分的にエッチングしてモニタ端子１６と制御端子１７とを露出させる。
【００３１】
このスイッチング素子４０において、制御端子１７のリード配線１７ａがＴＦＴのゲート電極に相当し、波形観察用配線１５とモニタ端子１６のリード配線１６ａがＴＦＴのソースとドレインに相当する。すなわち、制御端子１７に対して所定の電圧を印加することにより、波形観察用配線１５とモニタ端子１６とが導通し、制御端子１７の電圧無印加時は、波形観察用配線１５とモニタ端子１６は非導通となる。
【００３２】
このように、制御端子１７に所定の電圧を印加しない状態では、波形観察用配線１５とモニタ端子１６は非導通であるため、例えばパネル製造工程で発生する静電気がモニタ端子１６に帯電したとしても、その静電気がパネル内に入り込むことはない。なお、上記スイッチング素子４０に、ＭＩＭ（Ｍｅｔａｌ  Ｉｎｓｕｌａｔｏｒ  Ｍｅｔａｌ）からなる２端子型非線形素子を用いてもよい。
【００３３】
図１に示すように、液晶表示パネル１０Ａのパネル端子部１１には、製造工程の最終段階でフレキシブル基板３０が接続される。フレキシブル基板３０には、電子部品２０に対する制御信号入力端子３１のほかに、モニタ端子１６と制御端子１７に対する接続端子３２ａ，３２ｂが形成されており、この接続端子３２ａ，３２ｂの各々は、検査治具である例えばプローブを当てるための検査用ランド３３ａ，３３ｂと接続されている。
【００３４】
したがって、液晶表示パネル１０Ａに表示の動作不良などが生じた場合には、接続端子３２ｂ側の検査用ランド３３ｂより制御端子１７に所定の電圧を印加してスイッチング素子４０をオンとして波形観察用配線１５とモニタ端子１６とを導通させ、接続端子３２ａ側の検査用ランド３３ａより電子部品２０の表示駆動波形を取り出すことにより、その表示駆動波形を測定器などで観察することができる。その結果、表示駆動波形に異常があれば、電子部品２０を交換することで対処でき、表示駆動波形が正常であれば、不良原因はパネル基板内にあると判定される。
【００３５】
本発明によれば、制御端子１７の電圧無印加時は、波形観察用配線１５とモニタ端子１６は非導通であるため、上記従来例のように、フレキシブル基板３０に設けられる信号取り出し側の検査用のランド３３ａに静電気帯電防止用の絶縁皮膜を形成する必要はない。
【００３６】
なお、図１には波形観察用配線１５が１本しか示されていないが、上記従来例で説明したように、電子部品２０の正常，異常を判断するには、電子部品２０のゲート信号出力線，ソース信号出力線および共通電極に対するＶＣＯＭ信号出力線のそれぞれから少なくとも１本の波形観察用配線１５を引き出せばよく、したがって実際には３本の波形観察用配線１５が設けられ、その各々にスイッチング素子４０を介してモニタ端子１６と制御端子１７が設けられる。
【図面の簡単な説明】
【００３７】
【図１】本発明の画像表示装置に含まれる液晶表示パネルのパネル端子部とその接続部品の各一部分を分離して示す模式的な平面図。
【図２】上記パネル端子部に設けられるモニタ端子と制御端子とを含む拡大図。
【図３】図２のＡ−Ａ線断面図。
【図４】（ａ）従来の駆動波形観察用モニタ端子を有する液晶表示パネルを示す模式図，（ｂ）そのパネル端子部の一部拡大図。
【符号の説明】
【００３８】
１０Ａ  液晶表示パネル
１１  パネル端子部
１２  電子部品実装領域
１３  信号出力側電極パッド
１４  出力側配線
１５  波形観察用配線
１６  モニタ端子
１７  制御端子
１６ａ，１７ａ  リード配線
２０  電子部品
３０  フレキシブル基板
３１  制御信号入力端子
３２ａ，３２ｂ  接続端子
３３ａ，３３ｂ  検査用ランド
４０  スイッチング素子
４１  アモルファスシリコン（ａ−Ｓｉ）
【図１】
2007148191.tif 000003
【図２】
2007148191.tif 000004
【図３】
2007148191.tif 000005
【図４】
2007148191.tif 000006